(57)【要約】【課題】静電容量式タッチパネルを備えた機器を、タッチペン等の操作用部材を使用することなく、正確に操作し得る付け爪を提供する。【解決手段】静電容量式タッチパネルを備えた機器を操作するための付け爪であって、導電性材料で形成され、被装飾面を備える爪本体部と、前記被装飾面の裏面に備えられ、爪と接着するための接着面と、前記爪本体部と一体的に設けられ、前記静電容量式タッチパネルを操作するための操作面とを有する、付け爪。【選択図】図２
2013248174.tif 000002
【特許請求の範囲】
【請求項１】
静電容量式タッチパネルを備えた機器を操作するための付け爪であって、
導電性材料で形成され、被装飾面を備える爪本体部と、
前記被装飾面の裏面に備えられ、爪と接着するための接着面と、
前記爪本体部と一体的に設けられ、前記静電容量式タッチパネルを操作するための操作面とを有する、付け爪。
【請求項２】
前記爪本体部は、前記被装飾面の端部に設けられた先端部を含み、
前記操作面は、前記先端部または前記被装飾面の少なくともいずれか一方に設けられる、請求項１記載の付け爪。
【請求項３】
前記先端部または前記被装飾面の少なくともいずれか一方に突設された凸部を備え、
該凸部は、上面に前記操作面を有する、請求項１または２記載の付け爪。
【請求項４】
前記爪本体部は、絶縁性の基部と、該基部に積層された導電層とを含む、請求項１〜３のいずれか１項に記載の付け爪。
【請求項５】
前記先端部は、少なくとも一部が弾性部材で形成される、請求項２〜４のいずれか１項に記載の付け爪。
【発明の詳細な説明】
【技術分野】
【０００１】
本発明は、たとえば携帯電話端末やタブレットＰＣなどの静電容量式タッチパネルを備えた機器を、タッチペン等の操作用部材を使用することなく、正確に操作し得る付け爪に関する。
【背景技術】
【０００２】
近年、携帯電話端末（スマートフォンを含む）、ＰＤＡ（携帯情報端末）、タブレットＰＣ、携帯型ゲーム機器など、タッチパネルを備えた機器が広く普及している。中でも、静電容量式（特に投影型の静電容量式）のタッチパネル（以下、単に「タッチパネル」ともいう）は、埃や水に対する耐久性が高く、応答速度が速く、高分解能を有する等の利点を有し、かつ、多点検出が可能であるため、スマートフォン等に広く採用されている。タッチパネルは、ユーザがキー入力する場合と比較して、より直接的（直感的）に操作できる点で優れている。
【０００３】
静電容量式のタッチパネルでは、パネル表面に電界が形成されており、パネル表面の静電容量の変化を検知することでタッチ位置が判別される。タッチ位置が正しく判別されるためには、パネル表面と接触被対象物（指やタッチペンなど）とが所定面積以上で接触する必要がある。通常、ユーザは、導電性を備えた自身の指やタッチペンを、所定面積以上パネル表面に接触させて、タッチパネルを操作する。
【０００４】
操作時の視認性を向上させたタッチペンの一例が、特許文献１に開示されている。特許文献１に記載のタッチペンは、透明な導電性樹脂からなる板状体をペン先に備え、ユーザは画面を確認しながらタッチパネルを操作することができる。
【０００５】
ところで、ネイルアートの一種として付け爪が広く知られている。付け爪とは、自爪（以下、単に「爪」ともいう）に貼り付けるまたは練りつける人工爪をいう。付け爪は、爪に対して美観を付与し得るほか、爪の欠損や変色を隠す等の目的でも用いられる。
【０００６】
付け爪は、一般的には、絶縁性のプラスチック材料（たとえばアクリル樹脂）等を材料とする。そのため、付け爪を装着したユーザが付け爪をパネル表面と接触させることによりタッチパネルの操作を試みた場合、タッチ位置が正しく判別されない、という問題がある。また、ユーザが付け爪を装着したままでパネル表面を操作しようとすると、指の腹や側部等を使用してタッチパネルを操作するほかなく、正確に操作することが困難となる。また、上記したタッチペンなどを用いて、付け爪を装着したユーザがタッチパネルを操作することも考えられるが、タッチペン等の操作用部材を常備する必要があり、根本的な解決には至らない。さらに、タッチペンではマルチタッチができず、静電容量式タッチパネルの機能が大幅に制限されることになる。
【先行技術文献】
【特許文献】
【０００７】
【特許文献１】特開２０１１−２４２９０３号公報
【発明の概要】
【発明が解決しようとする課題】
【０００８】
本発明は、上記従来の問題に鑑みてなされたものであり、静電容量式タッチパネルを備えた機器を、タッチペン等の操作用部材を使用することなく、正確に操作し得る付け爪を提供することを目的とする。
【課題を解決するための手段】
【０００９】
本発明の一局面の付け爪は、静電容量式タッチパネルを備えた機器を操作するための付け爪であって、導電性材料で形成され、被装飾面を備える爪本体部と、前記被装飾面の裏面に備えられ、爪と接着するための接着面と、前記爪本体部と一体的に設けられ、前記静電容量式タッチパネルを操作するための操作面とを有することを特徴とする。
【００１０】
本発明の付け爪は、接着面を介して爪と接着することができる。本発明の付け爪は、導電性材料で形成された爪本体部を有し、該爪本体部には操作面が設けられている。そのため、本発明の付け爪を装着したユーザは、指の腹や側部等を使用することなく、爪本体部の操作面を、静電容量式タッチパネルを備えた機器のパネル表面と接触させることにより、パネル表面の静電容量を変化させることができる。ユーザは、直接的にタッチパネルを操作することができるため、タッチペン等の操作用部材を使用することなく、タッチパネルを正確に操作することができる。
【００１１】
上記構成において、前記爪本体部は、前記被装飾面の端部に設けられた先端部を含み、前記操作面は、前記先端部または前記被装飾面の少なくともいずれか一方に設けられることが好ましい。
【００１２】
上記構成において、先端部に操作面を設ける場合、ユーザは、指の先端をパネル表面と接触させる場合と同様に操作面をタッチパネルと接触させることができ、より自然にタッチパネルを操作し得る（後述する図３参照）。また、被装飾面に操作面を設ける場合、ユーザは、指を折り曲げて操作面をパネル表面と接触させることによりタッチパネルを操作し得る（後述する図８参照）。
【００１３】
さらに、先端部および被装飾面の両方に操作面を設ける場合、ユーザは、いずれの方法においてもタッチパネルを操作し得る。この際、先端部に設けた操作面の面積と被装飾面に設けた操作面の面積とが異なるようにすれば、たとえば、一方を、細かな操作を要する場合に使用し得るよう比較的狭い面積とする、等の使い分けが可能となる。
【００１４】
上記構成において、前記先端部または前記被装飾面の少なくともいずれか一方に突設された凸部を備え、該凸部は、上面に前記操作面を有することが好ましい。
【００１５】
先端部または被装飾面の少なくともいずれか一方に突設された凸部の上面を操作面とすることにより、ユーザは、指の先端をパネル表面と接触させる場合と同様に操作面をタッチパネルと接触させることができ、より自然にタッチパネルを操作し得る（後述する図３参照）。また、ユーザは、指を折り曲げて操作面をパネル表面と接触させることによりタッチパネルを操作し得る（後述する図８参照）。操作面は、凸部の上面に設けられているため、操作時に操作位置を特定しやすく、ユーザは、より正確にタッチパネルを操作し得る。
【００１６】
上記構成において、爪本体部は、絶縁性の基部と、該基部に積層された導電層とを
含むことが好ましい。
【００１７】
本発明の付け爪は、上記構成を備えることにより、基部を導電性材料で形成する必要がない。そのため、本発明の付け爪は、従来のプラスチック材料や木材等の絶縁性材料を含む種々の材料を原料として採用でき、材料選択の幅を広げることができるとともに、機能性や美観等をより向上させることができる。
【００１８】
上記構成において、前記先端部は、少なくとも一部が弾性部材で形成されることが好ましい。
【００１９】
この場合、ユーザは、先端部をパネル表面に押圧することにより先端部を弾性変形させることができる。弾性変形した先端部は、パネル表面と面接触するため、操作面として機能し得る。そのため、本発明の付け爪は、操作時以外は先端部を他の形状（たとえば湾曲形状等）としておくことができるため、より美観を向上させることができる。
【発明の効果】
【００２０】
本発明は、静電容量式タッチパネルを備えた機器を、タッチペン等の操作用部材を使用することなく、正確に操作し得る付け爪を提供することができる。
【図面の簡単な説明】
【００２１】
【図１】図１は、本発明の一実施形態における付け爪の構成を説明する概略的な斜視図である。
【図２】図２は、本発明の一実施形態における付け爪をユーザの爪に装着した状態の概略的な模式図である。
【図３】図３は、本発明の一実施形態の付け爪を装着したユーザがタッチパネルを操作する状態を説明する模式図である。
【図４】図４は、本発明の一実施形態における付け爪の構成を説明する概略的な斜視図である。
【図５】図５は、本発明の一実施形態における付け爪をユーザの爪に装着した状態の概略的な模式図である。
【図６】図６は、本発明の一実施形態における付け爪の構成を説明する概略的な斜視図である。
【図７】図７は、本発明の一実施形態における付け爪をユーザの爪に装着した状態の概略的な模式図である。
【図８】図８は、本発明の一実施形態の付け爪を装着したユーザがタッチパネルを操作する状態を説明する模式図である。
【図９】図９は、本発明の一実施形態における付け爪の構成を説明する概略的な斜視図である。
【図１０】図１０は、本発明の一実施形態における付け爪をユーザの爪に装着した状態の概略的な模式図である。
【図１１】図１１は、本発明の一実施形態における付け爪の構成を説明する概略的な斜視図である。
【図１２】図１２は、本発明の一実施形態における付け爪をユーザの爪に装着した状態の概略的な模式図である。
【図１３】図１３は、本発明の一実施形態における付け爪をユーザの爪に装着した状態の概略的な側面端面図である。
【図１４】図１４は、本発明の一実施形態における付け爪を装着したユーザがタッチパネルに付け爪を接触させて操作している状態の概略的な模式図である。
【発明を実施するための形態】
【００２２】
（実施の形態１）
本発明の一実施形態の付け爪を、図面を参照しながら詳細に説明する。図１は、本実施形態（実施の形態１）の付け爪１の構成を説明する概略的な斜視図である。図２は、付け爪１をユーザの爪Ｎ（爪甲）に装着した状態の概略的な模式図であり、図２（ａ）は、付け爪１をユーザの爪Ｎに装着した状態の側面端面図であり、図２（ｂ）は、付け爪１をユーザの爪Ｎに装着した状態の平面図である。
【００２３】
付け爪１は、図１に示されるように、爪本体部２と、ユーザの爪Ｎに接着される接着面３と、タッチパネルを操作するための操作面４とを有する。付け爪１は、図２（ａ）および図２（ｂ）に示されるように、ユーザの爪Ｎに装着して使用される。ユーザは、付け爪１を装着したままスマートフォン（静電容量式タッチパネルを備えた機器）のタッチパネルを操作し得る（後述する図３参照）。
【００２４】
（爪本体部２）
爪本体部２は、爪Ｎの爪甲を覆う被装飾面５と、被装飾面５の爪先側の端部に設けられた先端部６と、爪甲の根元側に位置する後端部７と、爪甲の側縁側に位置する側縁部８とを含む。爪本体部２は、カーボンブラック（導電性材料）を分散状態で含むポリアクリル樹脂（合成樹脂）からなる。付け爪１の裏面は、後述する接着面３を介して付け爪１をユーザの爪Ｎ（爪甲）に接着した際に爪甲と密着するよう、爪甲と類似の湾曲形状を呈する。
【００２５】
爪本体部２を成型する方法としては特に限定されず、金型を使用してポリアクリル樹脂を射出成型してもよく、溶融状態またはジェル（ゲル）状態のポリアクリル樹脂をユーザの爪Ｎに塗り拡げてもよく、必要に応じて光照射（紫外線照射）や熱硬化などを行ってもよい。
【００２６】
被装飾面５は、付け爪１の爪甲に相当する面である。被装飾面５には、各種の色彩、模様、飾り等の装飾が施され得る。被装飾面５と先端部６とは同じ材料で構成され、明確な境界が存在しない。そこで、本実施形態では、後述する接着面３を介してユーザの爪Ｎと付け爪１とを接着した際に、図２（ａ）に示されるように、ユーザの爪Ｎの先端よりも突出する部分を便宜的に先端部６という。先端部６の定義はこれに限定されず、たとえば、付け爪１の端部から所定の長さを先端部６と一律に定義してもよい。
【００２７】
先端部６は、付け爪１の先端に向かって下方に湾曲した形状（非線形のテーパ形状）を呈する。付け爪１は、湾曲した先端部６の一部に後述する操作面４を有する。
【００２８】
なお、先端部６の形状は特に限定されず、図２（ａ）に示されるような湾曲形状以外にも、たとえば、付け爪１の先端に向かって下方に屈曲した形状（線形のテーパ形状）であってもよく、屈曲または湾曲せずに被装飾面を付け爪１の先端に向かって延長した直線形状であってもよい。
【００２９】
（接着面３）
接着面３は、爪本体部２の裏面に設けられた面である。当該接着面３を介して、付け爪１はユーザの爪Ｎと接着される。接着面３には、両面接着テープ（図示せず）が貼り付けられている。具体的には、爪本体部２の裏面には、両面に剥離紙が設けられた両面接着テープが、片方の面の剥離紙のみを剥離した状態で貼り付けられている。ユーザは、接着面３に貼り付けられた両面テープの他方の剥離紙を剥離することにより、接着面３と爪甲とを密着させて、付け爪１を爪Ｎに貼り付けることができる。
【００３０】
接着面３において、爪Ｎとの接着性を付与するための方法は、特に限定されず、両面接着テープを用いる以外にも、たとえば、接着剤を爪本体部２の裏面に塗布して接着面３に接着性を付与してもよい。接着剤としては特に限定されず、シアノアクリレート系の瞬間接着剤や、その他公知の付け爪用接着剤、粘着剤等を使用することができる。
【００３１】
爪Ｎに対する付け爪１の接着位置は特に限定されない。本実施形態では、図２（ａ）および図２（ｂ）に示されるように、付け爪１は、付け爪１の後端部７や側縁部８が爪Ｎの周囲の皮膚と接触する位置に接着されている。このように接着することにより、付け爪１を装着したユーザがタッチパネルＰ（図３参照）を操作する際に、タッチパネルＰと、付け爪１を装着したユーザとの間にコンデンサ（静電容量）が形成され得る。この場合、後述する操作面４をパネル表面Ｐａ（図３参照）と接触させれば、パネル表面Ｐａの静電容量を変化させることができ、ユーザはタッチパネルＰを操作し得る。なお、本実施形態における「接触」には、物理的に操作面４がパネル表面Ｐａと接触している状態のほか、操作面４とパネル表面Ｐａとが非接触であっても、接触位置が検出される状態を含む。これは、タッチパネルＰの検出感度が優れている場合には、付け爪１などの導電性を有する被接触対象物がタッチパネルＰに接近しただけで、当該被接触対象物が検出される場合があるためである。
【００３２】
（操作面４）
操作面４は、タッチパネルＰを操作するための面であり、カーボンブラックを分散状態で含むポリアクリル樹脂からなる爪本体部２の一部に設けられる。操作面４は、先端部６の一部に形成された平面に設けられている。ユーザは、操作面４をパネル表面Ｐａと接触させることにより、パネル表面Ｐａの静電容量を変化させることができ、タッチパネルＰを操作し得る。
【００３３】
操作面４は、パネル表面Ｐａと接触した際に、タッチパネルＰが付け爪１の接触を判別し得る程度の接触面積を有する平面である。タッチパネルＰを操作する際に必要な最小接触面積は、タッチパネルＰの性能等によるため特に制限されないが、たとえば直径約３ｍｍの円に相当する接触面積（約７ｍｍ２）以上とすることが好ましい。一方、最大接触面積は特に制限されないが、ユーザが細かな操作を正確に行うことができ、かつ、付け爪１の美観を損ねないために、たとえば２００ｍｍ２以下とすることが好ましい。操作面４がパネル表面Ｐａと接触する際の接触面積が上記範囲内である場合、付け爪１とパネル表面Ｐａとの接触面積が充分に確保されるため、付け爪１を装着したユーザは、より正確にタッチパネルＰを操作することができる。
【００３４】
図３は、ユーザがスマートフォンのタッチパネルＰを操作する状態を説明する模式図である。ユーザは、付け爪１の非装着時に指Ｆの先端（たとえば指の腹部分）をパネル表面Ｐａと接触させる場合と同様に、付け爪１を指Ｆに装着したまま指Ｆの先端を押圧方向Ａ１に移動させることにより操作面４をタッチパネルＰと接触させてタッチパネルＰを操作し得る。図３において、付け爪１は、ユーザのそれぞれの爪に装着されている。
【００３５】
以上、本実施形態の付け爪１によれば、ユーザは、接着面３を介して爪Ｎと付け爪１とを接着することができる。付け爪１は、カーボンブラックを分散状態で含むポリアクリル樹脂からなる爪本体部２を有するため、付け爪１を装着したユーザは、付け爪１をパネル表面Ｐａと接触させることにより、パネル表面Ｐａの静電容量を変化させることができる。また、付け爪１は、タッチパネルＰを操作するための操作面４を有するため、ユーザは、指の腹や側部等を使用することなく直接的にタッチパネルＰを操作することができ、タッチペン等の操作用部材を必要としない。また、ユーザは、付け爪１を複数の指Ｆ（たとえば人差し指と中指）に装着すれば、マルチタッチによりタッチパネルＰを操作し得る。
【００３６】
（実施の形態２）
図４は、本実施形態（実施の形態２）の付け爪１ａの構成を説明する概略的な斜視図である。図５は、付け爪１ａをユーザの爪Ｎに装着した状態の概略的な模式図であり、図５（ａ）は、付け爪１ａをユーザの爪Ｎに装着した状態の側面端面図であり、図５（ｂ）は、付け爪１ａをユーザの爪Ｎに装着した状態の平面図である。
【００３７】
付け爪１ａは、図４および図５（ａ）に示されるように、爪本体部２ａの先端部６ａに、被装飾面５と略直交する平面として形成された操作面４ａを有する以外は、実施の形態１の付け爪１と同様の構成を有する。そのため、相違点以外の同様の構成については同一の参照符号を付して、説明を省略する。
【００３８】
付け爪１ａの先端部６ａには、図４および図５（ａ）に示されるように、略鉛直方向に延びる突片９が形成されている。操作面４ａは、突片９に形成された略鉛直面であり、ユーザは、操作面４ａをパネル表面Ｐａと接触させることにより、パネル表面Ｐａの静電容量を変化させることができ、タッチパネルＰ（図３参照）を操作し得る。付け爪１ａの厚み方向における突片９の長さは特に限定されず、たとえば約３〜１０ｍｍとすることができる。
【００３９】
付け爪１ａによれば、操作面４ａは、図４および図５（ｂ）に示されるように、付け爪１ａの横幅と同程度の幅（約１０〜２０ｍｍ）を有する。また、上記のとおり突片９の、付け爪１ａの厚み方向における長さは約３〜１０ｍｍである。そのため、ユーザは、付け爪１ａの操作面４ａをパネル表面Ｐａと対向させやすく、充分な接触面積で接触させることができるため、タッチ位置が正しく判別されやすい。
【００４０】
（実施の形態３）
図６は、本実施形態（実施の形態３）の付け爪１ｂの構成を説明する概略的な斜視図である。図７は、付け爪１ｂをユーザの爪Ｎに装着した状態の概略的な模式図であり、図７（ａ）は、付け爪１ｂをユーザの爪Ｎに装着した状態の側面端面図であり、図７（ｂ）は、付け爪１ｂをユーザの爪Ｎに装着した状態の平面図である。
【００４１】
付け爪１ｂは、図６、図７（ａ）および図７（ｂ）に示されるように、操作面が付け爪１ｂの先端部６ｂだけでなく、被装飾面５にも形成されている以外は、実施の形態１の付け爪１と同様の構成を有する。そのため、相違点以外の同様の構成については同一の参照符号を付して、説明を省略する。図６、図７（ａ）および図７（ｂ）において、参照符号４ｃは、先端部６ｂに形成された操作面を示し、参照符号４ｄは、被装飾面５に形成された操作面は操作面を示している。
【００４２】
付け爪１ｂの被装飾面５には、図６、図７（ａ）および図７（ｂ）に示されるように、１個の略扁平形状の上面視で星型を呈する凸部１０（先端部または被装飾面の少なくともいずれか一方に突設された凸部）が一体的に突設されている。凸部１０は爪本体部２ｂと同様に、カーボンブラックを分散状態で含むポリアクリル樹脂からなり、導電性を有する。凸部１０の上面は平面状であり、操作面４ｄとして機能し得る。上面の面積は、上記した操作面４ｄの接触面積と同様に、たとえば直径３ｍｍの円に相当する接触面積（約７ｍｍ２）以上であることが好ましい。
【００４３】
凸部１０の平面形状、個数および配置位置は、ユーザの美観に合わせて適宜選択でき、特に限定されない。凸部１０の平面形状は、上面に所定面積以上の平面が形成されていればよく、たとえば、上面視で円形（楕円を含む）、角形、文字状、記号状、動植物のモチーフ、その他の不定形状等であってもよい。また、凸部１０の個数は１個以上であればよく、特に限定されない。たとえば、凸部１０は、上面視で大小の相似形状の凸部を複数個設けた凸部群であってもよく、それぞれ形状の異なる大小の凸部を複数個設けた凸部群であってもよい。この場合、複数の凸部の高さ（爪Ｎの厚み方向の長さ）が同じである場合には、これら複数の凸部とパネル表面Ｐａ（図８参照）とが同時に接触することにより、タッチパネルＰ（図８参照）のタッチ位置が正しく認識されない可能性がある。そのため、凸部の高さは、このような誤認識を起こさない程度に適宜調整されることが好ましい。さらに、凸部１０の配置位置は、被装飾面５上または先端部６ｂの少なくともいずれか一方であればよく、特に限定されない。たとえば、凸部１０の配置位置としては、被装飾面５の中央付近であってもよく、後端部７ａ（付け爪１ｂの根元）付近であってもよく、先端部６ｂ上であってもよい。
【００４４】
なお、凸部１０を爪本体部２ｂの被装飾面５と一体的に突設する方法は特に限定されない。凸部１０は、射出成型等により爪本体部２ｂと一体的に成型してもよく、別々に成型した爪本体部２ｂの被装飾面５と凸部１０の裏面とを接着剤等により接着してもよい。
【００４５】
図８は、付け爪１ｂを爪Ｎに装着したユーザがタッチパネルＰを操作する状態を説明する模式図である。付け爪１ｂを装着したユーザは、図３に関連して説明した態様以外にも、図８に示されるように、指Ｆを折り曲げた状態で凸部１０の上面に形成された操作面４ｄを押圧方向Ａ２に移動させることによりパネル表面Ｐａと接触させてタッチパネルＰを操作し得る。図８において、付け爪１ｂは、ユーザのそれぞれの爪に装着されている。
【００４６】
ここで、たとえば、長期の装着等により爪Ｎ（爪甲）と爪本体部２ｂとの接着が弱まった場合において、ユーザが図３に示される態様によりタッチパネルＰを操作すると、操作時の衝撃（パネル表面Ｐａから付け爪１ｂへ加えられる応力）が、接着面３と略平行な方向に加え続けられるため、爪Ｎ（爪甲）から付け爪１ｂが剥離する可能性がある。しかしながら、ユーザが図８に示される態様でタッチパネルＰを操作する場合、操作時の衝撃は、接着面３と略直交する方向に加え続けられるため、操作時の衝撃で付け爪１ｂが爪Ｎ（爪甲）から剥離する可能性が軽減され得る。また、先端部６ｂおよび被装飾面５の両方に操作面（操作面４ｃおよび操作面４ｄ）を設ける場合、ユーザは、いずれの方法においてもタッチパネルＰを操作し得る。この際、先端部６ｂに設けた操作面４ｃの面積と被装飾面５に設けた操作面４ｄの面積とを異なるようにしておけば、ユーザは、たとえば、一方の操作面を、細かな操作を要する場合に使用し得るよう比較的狭い面積とする、等の使い分けが可能となる。
【００４７】
以上、本実施形態の付け爪１ｂによれば、被装飾面５に設けられた凸部１０は、装飾として付け爪１ｂに美観を付与し得る。また、ユーザは、少なくとも２つの態様（図３または図８に示す態様）によりタッチパネルＰを操作し得る。特に、被装飾面５に凸部１０を設けて、凸部１０の上面を操作面４ｄとすることにより、ユーザは、操作時に付け爪１ｂへの衝撃が付与されにくい態様でタッチパネルＰを操作することができる。
【００４８】
（実施の形態４）
図９は、本実施形態（実施の形態４）の付け爪１ｃの構成を説明する概略的な斜視図である。図１０は、付け爪１ｃをユーザの爪Ｎに装着した状態の概略的な模式図であり、図１０（ａ）は、付け爪１ｃをユーザの爪Ｎに装着した状態の側面端面図であり、図１０（ｂ）は、付け爪１ｃをユーザの爪Ｎに装着した状態の平面図である。
【００４９】
付け爪１ｃは、図９および図１０（ａ）に示されるように、爪本体部２ｃの被装飾面５に、操作面４ｅを含む凸部群１１が形成され、図１０（ｂ）に示されるように、付け爪１ｃの後端部７ｂが爪Ｎの生え際の皮膚と接触していない以外は、実施の形態３の付け爪１ｂと同様の構成を有する。そのため、相違点以外の同様の構成については同一の参照符号を付して、説明を省略する。
【００５０】
付け爪１ｃの被装飾面５には、図９、図１０（ｂ）に示されるように、大小異なる５個の略扁平形状の凸部が一体的に設けられ、凸部群１１を構成している。それぞれの凸部は、上面視で円形である。また、それぞれの凸部は、カーボンブラックを分散状態で含むポリアクリル樹脂からなり、導電性を有する。
【００５１】
凸部群１１を被装飾面５に設ける方法は特に限定されない。凸部群１１は、射出成型等により爪本体部２ｃと一体的に成型してもよく、別々に成型した爪本体部２ｃの被装飾面５と凸部群１１の裏面とを接着剤等により接着してもよい。たとえば、凸部群１１は、凸部群１１を構成する少なくとも１個の凸部の裏面を接着面とすることにより、被装飾面５に接着することができる。
【００５２】
凸部１０ａは、５個の凸部のうちもっとも上面の面積が大きく、操作面４ｅとして機能し得る。また、凸部１０ｂは、一部が被装飾面５から延出した延出部１０ｂ１を有し、当該延出部１０ｂ１は、ユーザが付け爪１ｃを装着した状態でユーザの爪Ｎの側部の皮膚と接触し得る。凸部群１１を構成するそれぞれの凸部は、隣り合う凸部と接している。そのため、付け爪１ｃを装着したユーザは、たとえば図８に関連して説明した態様によりタッチパネルＰを操作することにより、タッチパネルＰと、付け爪１ｃを装着したユーザとの間にコンデンサ（静電容量）を形成することができ、タッチパネルＰを操作し得る。
【００５３】
付け爪１ｃは、図１０（ａ）および図１０（ｂ）に示されるように、付け爪１ｃの後端部７ｂが爪Ｎの生え際の皮膚と接触していない。そのため、付け爪１ｃの大きさ（長さ）を小さくすることができる。また、付け爪１ｃは、爪Ｎと重なるように接着されるため、優れた美観を付与することができる。
【００５４】
（実施の形態５）
図１１は、本実施形態（実施の形態５）の付け爪１ｄの構成を説明する概略的な斜視図である。図１２は、付け爪１ｄをユーザの爪Ｎに装着した状態の概略的な模式図であり、図１２（ａ）は、付け爪１ｄをユーザの爪Ｎに装着した状態の側面端面図であり、図１２（ｂ）は、付け爪１ｄをユーザの爪Ｎに装着した状態の平面図である。
【００５５】
付け爪１ｄは、図１１および図１２（ａ）に示されるように、爪本体部２ｄが木製の基部１２（絶縁性の基部）と、該基部１２に積層された、カーボンブラックを分散状態で含むポリアクリル樹脂層（導電層）とを含む以外は、実施の形態３の付け爪１ｂと同様の構成を有する。そのため、相違点以外の同様の構成については同一の参照符号を付して、説明を省略する。
【００５６】
付け爪１ｄは、図１２（ａ）に示されるように、爪本体部２ｄが基部１２と該基部１２に積層されたポリアクリル樹脂層１３を含む。基部１２は木製であり、絶縁性を有する。該基部１２を覆うようにポリアクリル樹脂層１３が積層されている。
【００５７】
ポリアクリル樹脂層１３を基部１２に積層する方法としては特に限定されない。たとえば、形状を整えた木製の基部１２に対して溶融状態のポリアクリル樹脂を塗り広げて作製してもよく、基部１２に対して別途作製したポリアクリル樹脂層１３を上記した公知の接着剤で接着してもよく、基部１２の裏面に接着面３を形成し、該接着面３を介してユーザの爪Ｎ（爪甲）に接着した状態で、溶融状態のポリアクリル樹脂を基部１２の表面に塗り広げてもよい。なお、溶融状態のポリアクリル樹脂は、含まれる導電性材料の性質に合わせて光（ＵＶ、紫外線）照射や熱硬化等の方法により硬化を促すことができる。
【００５８】
ポリアクリル樹脂層１３の厚みとしては特に限定されない。たとえば、ポリアクリル樹脂層１３の厚みは、数ｎｍ〜数ｍｍとすることができる。なお、ユーザが、図８に関連して説明したように被装飾面５に形成された凸部１０の上面を操作面４ｆとして使用して、タッチパネルＰを操作する場合において、ポリアクリル樹脂層１３の厚みが大き過ぎる場合、凸部１０がポリアクリル樹脂層１３に埋没する結果、被装飾面５に対する凸部１０の高さが小さくなり過ぎる可能性がある。この場合、凸部１０の上面をパネル表面Ｐａと接触させた際に被装飾面５も合わせてパネル表面Ｐａと接触してしまい、タッチパネルＰが正確に操作されない可能性がある。そのため、ポリアクリル樹脂層１３の厚みに応じて凸部１０の高さを大きくするか、凸部１０の高さに応じてポリアクリル樹脂層１３の厚みを小さくすることが好ましい。
【００５９】
付け爪１ｄを装着したユーザは、ポリアクリル樹脂層１３が積層されたいずれかの箇所をパネル表面Ｐａと接触させることにより、タッチパネルＰを操作することができる。たとえば、ユーザは、図３に関連して説明したように、先端部６に形成された平面を操作面４ｇとして使用し、パネル表面Ｐａと操作面４ｇとを接触させてタッチパネルＰを操作するか、図８に関連して説明したように、被装飾面５に形成された凸部１０の上面を操作面４ｆとして使用し、パネル表面Ｐａと操作面４ｆとを接触させてタッチパネルＰを操作し得る。
【００６０】
付け爪１ｄは、ポリアクリル樹脂層１３を有しているため、爪本体部２ｄの大部分を構成する基部１２は、カーボンブラックを含む必要がない。そのため、付け爪１ｄは、従来のプラスチック材料や木材等の絶縁性材料を含む種々の材料を原料として採用でき、材料選択の幅を広げることができるとともに、機能性や美観等をより向上させることができる。
【００６１】
（実施の形態６）
図１３は、本実施形態（実施の形態６）の付け爪１ｅをユーザの爪Ｎに装着した状態の概略的な側面端面図である。図１４は、付け爪１ｅを装着したユーザがタッチパネルＰ（図３参照）に付け爪１ｅを接触させて操作している状態の模式図であり、図１４（ａ）は、付け爪１ｅを装着したユーザがタッチパネルＰに付け爪１ｅを接触させて操作している状態の側面端面図であり、図１４（ｂ）は、付け爪１ｅを装着したユーザがタッチパネルＰに付け爪１ｅを接触させて操作している状態の平面図である。
【００６２】
付け爪１ｅは、爪本体部２ｅ（先端部６ｃを含む）が、カーボンブラックを分散状態で含む導電性シリコーン（弾性部材）で形成されている以外は、実施の形態１の付け爪１と同様の構成を有する。そのため、相違点以外の同様の構成については同一の参照符号を付して、説明を省略する。
【００６３】
付け爪１ｅは、図１３に示されるように、先端部６ｃが湾曲形状であり、平面ではない。しかしながら、爪本体部２ｅは、導電性シリコーンで形成されており、先端部６ｃは、弾性を有するため、図１４（ａ）および図１４（ｂ）に示されるように、ユーザがタッチパネルＰを操作するために付け爪１ｅの先端部６ｃをパネル表面Ｐａに接触させると、先端部６ｃは、一部が弾性変形し得る。弾性変形した先端部６ｃには、操作面４ｈとして充分に機能し得る面積の平面が形成される。そのため、付け爪１ｅは、操作時以外は先端部６ｃを他の種々の形状（たとえば湾曲形状等）としておくことができるため、付け爪１ｅの美観をより向上させることができる。
【００６４】
以上、本発明の実施形態を説明したが、本発明はこれに限定されるものではなく、たとえば次のような変形実施形態を採用することができる。
【００６５】
（１）上記実施形態では、静電容量式タッチパネルとして、スマートフォンに搭載されたタッチパネルを例示した。これに代えて、本発明の付け爪では、ＰＯＳ（ｐｏｉｎｔ  ｏｆ  ｓａｌｅ  ｓｙｓｔｅｍ）レジや、カーナビゲーション、各種端末や販売機等に搭載された静電容量式タッチパネルに対しても使用し得る。
【００６６】
（２）上記実施形態では、導電性材料としてカーボンブラックを例示した。これに代えて、本発明の付け爪では、他の公知の導電性材料を用いてもよい。他の公知の導電性材料としては、たとえば、カーボンナノチューブなどの導電性カーボン、銀、銅、ニッケル、アルミなどの金属化合物、酸化錫、酸化インジウムなどの金属酸化物化合物、ポリチオフェン、ポリエチレンスルフォン酸、ポリアニリン、ポリピロール、ポリエチレンジオキシチオフェンなどの導電性高分子、炭化ケイ素、窒化ホウ素等のセラミック、テトラエチルアンモニウム、ラウリルトリメチルアンモニウム等の過塩素酸塩や塩素酸塩等、リチウム、マグネシウム等のアルカリ金属、アルカリ土類金属の過塩素酸塩や塩素酸塩等のイオン導電剤を使用することができる。これらは、付け爪に付与すべき色彩や、付け爪のコスト等を総合考慮して、単独または２種以上を組み合わせて適宜使用することができる。これらの材料は、粒状や針状などの各種形状の微粒子にして、合成樹脂に分散または相溶させて用いることができる。
【００６７】
導電性材料を含むための合成樹脂としては、ＡＢＳ（アクリロニトリル−ブタジエン−スチレン）樹脂、ポリカーボネート樹脂、ポリスチロール樹脂、ポリエーテルサルホン樹脂、ポリエーテルイミド樹脂、ポリサルホン樹脂、ポリブチレンテレフタレート樹脂、ポリエチレンテレフタレート樹脂などエンジニアリングプラスチックおよび汎用プラスチック等を使用することができる。
【００６８】
（３）上記実施形態（ただし実施の形態４および実施の形態５を除く）では、付け爪の接着位置を、付け爪の一部がユーザの皮膚と接触する位置とし、これによりタッチパネルと付け爪を装着したユーザとの間に静電容量を形成する場合を例示した。これに代えて、付け爪の接着位置を、付け爪の全部が爪甲のみに接着する位置としてもよい。すなわち、付け爪の一部と皮膚との接触は必須でない。これは、タッチパネルの検出感度が優れている場合や使用環境等によっては、皮膚と付け爪とが直接接触していなくても、タッチパネルと付け爪を装着したユーザとの間に静電容量が形成される場合があるためである。
【００６９】
（４）上記実施形態（ただし実施の形態５を除く）では、爪本体部が導電性材料で形成されているため、先端部や被装飾面等にポリアクリル樹脂層（導電層）が形成されていない場合を例示した。これに代えて、本発明の付け爪は、爪本体部を覆うようポリアクリル樹脂層をさらに積層してもよい。たとえば、本発明の付け爪は、カーボンブラックを含むポリアクリル樹脂液を塗布してポリアクリル樹脂層をトップコートとして積層することができる。これにより、付け爪に光沢等の美観や耐久性を付与しつつ、導電性を予備的に付与することができる。
【００７０】
（５）上記実施の形態６では、爪本体部が導電性シリコーンで形成される場合を例示した。これに代えて、本発明の付け爪では、爪本体部の先端部のみを導電性シリコーンで形成してもよい。この場合、先端部と先端部を除く爪本体部とは、公知の接着剤で接着されてもよく、成型時に同時または連続的に成型することにより、一体的に形成してもよい。
【００７１】
（６）上記実施の形態６では、弾性部材としてシリコーンゴムを用いる場合を例示した。これに代えて、本発明の付け爪では、各種ゴムやエラストマーを使用することができる。本発明の付け爪は、ゴムおよびエラストマーとして、たとえば、イソプレンゴム、クロロプレンゴム、エピクロルヒドリンゴム、ブチルゴム、ポリウレタン、フッ素ゴム、スチレン−ブタジエンゴム、ブタジエンゴム、ニトリルゴム、エチレンプロピレンゴム、エピクロルヒドリン−エチレンオキシド共重合ゴム、エピクロルヒドリン−エチレンオキシド−アリルグリシジルエーテル共重合ゴム、エチレン−プロピレン−ジエン３元共重合ゴム（ＥＰＤＭ）、アクリロニトリル−ブタジエン共重合ゴム（ＮＢＲ）、天然ゴム等、およびこれらのブレンドゴムを用いることができる。
【００７２】
（７）上記実施の形態６では、先端部が弾性変形する場合を例示した。これに代えて、本発明の付け爪では、被装飾面にカーボンブラックを含む導電性シリコーン製の凸部（弾性部材）を形成し、図８に関連して説明したように凸部の上面をパネル表面と接触させた場合に凸部の上面が弾性変形するよう構成してもよい。この場合、ユーザは、弾性変形して平面となった凸部の上面を操作面として使用することにより、タッチパネルを操作し得る。
【００７３】
（８）上記実施形態では、図３または図８に関連して説明したように、ユーザのそれぞれの爪に付け爪が装着されている場合を例示した。これに代えて、本発明の付け爪は、全部の爪ではなく、少なくとも１本の指（たとえば人差し指）の爪に装着することができる。また、マルチタッチを正確に行うためには、本発明の付け爪は、少なくとも２本の指（たとえば人差し指と中指）の爪に装着することができる。
【符号の説明】
【００７４】
１、１ａ、１ｂ、１ｃ、１ｄ、１ｅ  付け爪
２、２ａ、２ｂ、２ｃ、２ｄ、２ｅ  爪本体部
３  接着面
４、４ａ、４ｂ、４ｃ、４ｄ、４ｅ、４ｆ、４ｇ、４ｈ  操作面
５  被装飾面
６、６ａ、６ｂ、６ｃ  先端部
７、７ａ、７ｂ  後端部
８  側縁部
９  突片
１０  凸部
１０ｂ１  延出部
１１  凸部群
１２  基部
１３  ポリアクリル樹脂層
Ａ１、Ａ２  押圧方向
Ｆ  指
Ｎ  爪
Ｐ  タッチパネル
Ｐａ  パネル表面
【図１】
2013248174.tif 000003
【図２】
2013248174.tif 000004
【図３】
2013248174.tif 000005
【図４】
2013248174.tif 000006
【図５】
2013248174.tif 000007
【図６】
2013248174.tif 000008
【図７】
2013248174.tif 000009
【図８】
2013248174.tif 000010
【図９】
2013248174.tif 000011
【図１０】
2013248174.tif 000012
【図１１】
2013248174.tif 000013
【図１２】
2013248174.tif 000014
【図１３】
2013248174.tif 000015
【図１４】
2013248174.tif 000016